(57)【要約】【課題】  高温水と蒸気とを簡単にかつ迅速に切り換えて噴射することができる流体洗浄機を提供することを目的とする。【解決手段】  可撓ホース３と、可撓ホース３の先端に付設したノズル４と、高温水を生成する高温水生成装置１と、高温水生成装置１で生成された高温水を再加熱して蒸気を生成する蒸気生成装置２とを、備えている。さらに、高温水と蒸気とを択一的に切り換えて可撓ホース３を介してノズル４から噴出させる切換手段５を有するものである。【選択図】  図１
2007044603.tif 000002
【特許請求の範囲】
【請求項１】
可撓ホース（３）と、該可撓ホース（３）の先端に付設したノズル（４）と、高温水を生成する高温水生成装置（１）と、該高温水生成装置（１）で生成された高温水を再加熱して蒸気を生成する蒸気生成装置（２）とを、備え、高温水と蒸気とを択一的に切り換えて上記可撓ホース（３）を介してノズル（４）から噴出させる切換手段（５）を有することを特徴とする流体洗浄機。
【請求項２】
上記高温水生成装置（１）はボイラー（６）から成り、かつ、上記蒸気生成装置（２）は上記ボイラー（６）のケーシング（７）・バーナー（８）を共用して構成されている請求項１記載の流体洗浄機。
【請求項３】
上記蒸気生成装置（２）は電気抵抗式又は電磁誘導式の加熱部（９）を有している請求項１又は２記載の流体洗浄機。
【発明の詳細な説明】
【技術分野】
【０００１】
本発明は、流体を噴出して洗浄を行う流体洗浄機に関する。
【背景技術】
【０００２】
従来、機械・装置の外装や自動車の車体、工場の床面等を洗浄するために用いられる洗浄装置として、ホースの先端に付設されたノズルから高温水を噴出するスプレー式の洗浄機がある（例えば、特許文献１参照）。
一方、電子部品・精密部品等の洗浄を行うために用いられる洗浄装置として、ノズルから蒸気を噴出するものがある（特許文献２参照）。
【特許文献１】特開平６−３２０１２１号公報
【特許文献２】特開２００４−３２９５７６号公報
【発明の開示】
【発明が解決しようとする課題】
【０００３】
例えば、自動車の洗浄を行う場合、車体に付着した泥等の汚れは高圧で噴射される高温水にて洗い落とすのがよいが、電子部品の多いエンジンルームの洗浄には、それら電子部品を傷つけないようにするために高温水よりは（衝突）圧力の低い蒸気が使用される。
そのため、高温水洗浄機と蒸気洗浄機とを被洗浄物に応じて使い分けしなければならず、特に、高温水と蒸気とを何度も交互に使用する場合は、作業効率が悪く、余分な燃料消費が多くなるといった問題があった。また、少なくとも２台の装置が必要となるので、設置費用がかかり狭い場所では設置しにくいという欠点もあった。
そこで、本発明は、高温水と蒸気とを簡単にかつ迅速に切り換えて噴射することができる流体洗浄機を提供することを目的とする。
【課題を解決するための手段】
【０００４】
上記目的を達成するために、本発明に係る流体洗浄機は、可撓ホースと、該可撓ホースの先端に付設したノズルと、高温水を生成する高温水生成装置と、該高温水生成装置で生成された高温水を再加熱して蒸気を生成する蒸気生成装置とを、備え、高温水と蒸気とを択一的に切り換えて上記可撓ホースを介してノズルから噴出させる切換手段を有するものである。
【０００５】
また、上記高温水生成装置はボイラーから成り、かつ、上記蒸気生成装置は上記ボイラーのケーシング・バーナーを共用して構成されている。
また、上記蒸気生成装置は電気抵抗式又は電磁誘導式の加熱部を有している。
【発明の効果】
【０００６】
本発明は、次のような著大な効果を奏する。
本発明に係る流体洗浄機によれば、高温水と蒸気とを簡単にかつ迅速に切り換えて噴射することができる。
このことにより、例えば、自動車の車体と電子部品の多いエンジンルームとを洗浄する場合等、高温水と蒸気とを使い分けしなければならない場合は、従来のように高温水用と蒸気用の２台の洗浄機を用意しなくても、（本発明の）１台の洗浄機にて高温水と蒸気とを瞬時に切り換えて洗浄することができ、洗浄作業能率（速度）が上がり、狭いスペースにも設置することができる。
また、高温水から蒸気へと切り換えて噴出する際に、高温水生成装置で生成された高温水を蒸気生成装置で再加熱して蒸気を生成するので、蒸気生成にかかる時間と燃料（コスト）とを大幅に削減することができる。
また、高温水で洗浄後、被洗浄物（機械・床面等）に蒸気を吹き付けることで、その被洗浄物を素早く乾燥させることができる。特に、加熱部９を電磁誘導式とすることにより、高温水による洗浄の後、短秒間で（瞬時に）、蒸気の噴出に切替わり、一層洗浄作業能率が向上できる。
【発明を実施するための最良の形態】
【０００７】
以下、実施の形態を示す図面に基づき本発明を詳説する。
図１に示す本発明の第１の実施の形態に於て、10は箱型の外装体39を有する洗浄機本体、11は先端にノズル４を有する洗浄銃であり、洗浄銃11は洗浄機本体10に可撓ホース３を介して接続されている。
洗浄機本体10は、高温水を生成する高温水生成装置１と、高温水生成装置１で生成された高温水を再加熱して蒸気を生成する蒸気生成装置２とを、備えている。
さらに、洗浄機本体10は、高温水と蒸気とを択一的に切り換えて洗浄銃11のノズル４から噴出させる切換手段５を備えている。
なお、洗浄機本体10の下端部には、地面を転動自在の移動用車輪24が複数個設けられている。
【０００８】
具体的には、洗浄機本体10内に貯水タンク14を有し、洗浄機本体10の外装体39には外部から貯水タンク14に水を供給する給水管12が付設されている。そして、貯水タンク14内には給水管12からの水がボールタップ13により一定量貯えられている。
高温水生成装置１はボイラー６から成り、ボイラー６はそのケーシング７内の空気を加熱するバーナー８を有している。このボイラー６と貯水タンク14は、配管15にて連通連結され、さらに、ボイラー６内には、一端が配管15と連結される（全部又は一部が）蛇行状の伝熱管16が配設されている。また、ボイラー６及び洗浄機本体10の外装体39には、ボイラー６内の空気を入れ換えするための給気用及び排気用の煙突（図示省略）が設けられている。
【０００９】
さらに、伝熱管16の他端には配管17が連結され、この配管17にてボイラー６と可撓ホース３とが連通連結されている。配管17の途中には、電源18を有する電気抵抗式又は電磁誘導式の加熱部９から成る蒸気生成装置２が、配管17の外周面に螺旋状に巻き付けて設けられている。なお、電磁誘導式の場合には、図示省略のインバータが、電源18と加熱部９との間に設けられている。
配管17の電気抵抗式又は電磁誘導式の加熱部９の取り付け部位の上流側には、ポンプ19が介入接続され、ポンプ19の下流側の配管17には、配管17内の高温水が逆流しないように配管17に逆止弁21が設けられている。加熱部９はニクロム線等の電気抵抗による発熱を利用するヒータ（電気抵抗式）を用いても、また、電磁誘導加熱を利用する場合であっても、自由に選択可能である。後者の場合、熱効率が高いという利点があり、しかも、瞬間的に蒸気が得られる利点がある。
【００１０】
また、加熱部９（蒸気生成装置２）の電源18のＯＮとＯＦＦとを手動で切り換えるスイッチ22が、切換手段５として設けられている。さらに、ポンプ19の駆動モーター20の回転速度を調整する制御手段23を備えている。
【００１１】
例えば、電気抵抗式又は電磁誘導式の加熱部９の電源18がＯＮ状態───蒸気生成状態───に於て、電気抵抗式又は電磁誘導式の加熱部９によって生成される蒸気の（配管17内での）体積膨張により、高温水をノズル４から噴出する際の流量のままでは電気抵抗式又は電磁誘導式の加熱部９側へ送れない場合は、高温水の流量を減少させるため、制御手段23がポンプ19の駆動モーター20の回転速度を所定の速度に減速させるように設定されていることが望ましい。
また、この場合、制御手段23は加熱部９の電源18と電気的に接続され、電源18のＯＮ状態とＯＦＦ状態との切換をそれぞれ検知する検知部40を備え、制御手段23はこの検知部40を介して電源18がＯＮ状態とＯＦＦ状態とを把握し、自動で駆動モーター20の回転速度を所定の回転速度に調整可能となっている。なお、加熱部９の電源18がＯＮ状態からＯＦＦ状態へと切り換わった場合は、制御手段23は、駆動モーター20を（高温水を噴出する場合の）元の回転速度に戻す（加速させる）ように設定されている。
【００１２】
次に、図２に示す本発明の第２の実施の形態に於て、洗浄機本体10は、高温水を生成する高温水生成装置１と、高温水生成装置１で生成された高温水を再加熱して蒸気を生成する蒸気生成装置２とを、備えている。
さらに、洗浄機本体10は、高温水と蒸気とを択一的に切り換えて洗浄銃11のノズル４から噴出させる切換手段５を備えている。
【００１３】
高温水生成装置１はバーナー８を有するボイラー６から成り、ボイラー６のケーシング７内には、第１伝熱管16と第２伝熱管31とが配設されている。第１伝熱管16と第２伝熱管31は（全部又は一部が）蛇行状に配設されている。
蒸気生成装置２は、ボイラー６のケーシング７・バーナー８を共用して構成され、さらに、蒸気生成装置２は電気抵抗式又は電磁誘導式の加熱部９を有している。
【００１４】
第１伝熱管16の下流側の端部には配管25が連結され、配管25の途中にはポンプ19が介入接続されている。また、配管25の下流側の端部にはＴ字型の管継手から成る分岐部28が付設されている。そして、分岐部28の下流側には、噴出側管路26と戻り管路27とが配管25から分岐するように連結され、噴出側管路26と戻り管路27には、それぞれ電磁（開閉）弁29，30が設けられている。戻り管路27の下流側の端部は、ボイラー６内の第２伝熱管31の一端に連結され、さらに、戻り管路27内の高温水が逆流しないように、戻り管路27の電磁弁29より下流側に逆止弁32が設けられている。
【００１５】
第２伝熱管31の下流側の端部（他端）には、配管33の一端が連結され、その配管33の他端は、Ｔ字型の管継手から成る合流部34を介して噴出側管路26と合流するように連結されている。そして、合流部34の下流側に共通管路35の一端が連結され、また、共通管路35の他端は可撓ホース３に連結されている。
【００１６】
配管33の途中には、電源18を有する電気抵抗式又は電磁誘導式の加熱部９が、配管33の外周面に螺旋状に巻き付けて設けられている。そして、電気抵抗式又は電磁誘導式の加熱部９の電源18のＯＮとＯＦＦとを手動で切り換えるスイッチ22を備えている。
電気抵抗式又は電磁誘導式の加熱部９（の電源18）と２個の電磁弁29，30は電気的に接続されており、加熱部９の電源18がＯＦＦ状態では、電磁弁29が閉状態となり、電磁弁30が開状態となるように構成されている。また、加熱部９の電源18がＯＮ状態の場合は、電磁弁29が開状態となり、電磁弁30が閉状態となる。言い換えれば、分岐部28と２個の電磁弁29，30とによって、高温水の移送流路を噴出側管路26と戻り管路27とに切り換える流路切換手段37が構成されている。
【００１７】
つまり、高温水と蒸気とを択一的に切り換えて噴出させる上記切換手段５は、加熱部９（の電源18）のＯＮ−ＯＦＦを切り換えるスイッチ22と、加熱部９のＯＮ−ＯＦＦに対応して流路を切り換える流路切換手段37と、から構成されている。
【００１８】
また、電磁弁30が開いている場合に、噴出側管路26を流れる高温水が合流部34を介して配管33の流入しないように、逆止弁36が配管33の下流側端部近傍に設けられている。
さらに、洗浄機本体10は、ポンプ19の駆動モーター20の回転速度を調整する制御手段23を備えている。
なお、図２に於て、図１と同一の符号は図１と同様の構成であるので説明を省略する。
【００１９】
図３に示すのは、図２で示す流路切換手段37の他の実施形態であり、この流路切換手段37は２方切換弁38から成り、２方切換弁38は加熱部９（の電源18）と電気的に接続されている。加熱部９の電源18がＯＦＦの状態では、配管25と噴出側管路26が２方切換弁38を介して連通連結されており、加熱部９の電源18がＯＮ状態となると、２方切換弁38のソレノイドが励磁されて戻りバネの弾発付勢に反発して切り換わって、配管25と戻り管路27とを連通連結するようになっている。
なお、図３に於て、図２と同一の符号は図２と同様の構成であるので説明を省略する。
【００２０】
また、本発明の流体洗浄機は、上述の実施の形態に限定されず設計変更自由であり、例えば、制御手段23を手動で操作可能としてポンプ19の駆動モーター20の回転速度を所望の回転速度に調整できるようにしてもよい。
【００２１】
上述した本発明の流体洗浄機の使用方法（作用）について説明する。
まず、高温水をノズル４から噴出させる場合について説明する。図１に於て、給水管12から貯水タンク14に一定量貯められた水が、配管15を通ってボイラー６へと送られる。ボイラー６のバーナー８は運転状態にあり、ボイラー６へ供給された水は、伝熱管16内でバーナー８によって加熱され高温水が生成される。そして、この場合、電気抵抗式又は電磁誘導式の加熱部９の電源18はＯＮ状態とはなっておらず、生成された高温水はポンプ19によって配管17内を圧送され、可撓ホース３を介して洗浄銃11のノズル４から噴出される。
【００２２】
次に、蒸気をノズル４から噴出させる場合について説明する。図１に於て、上述した高温水を噴出させる場合と同様にして、ボイラー６内で高温水が生成される。そして、手動でスイッチ22を切り換えて加熱部９の電源18をＯＮ状態にし、加熱部９を作動させる。生成された高温水は配管17を通過する際に加熱部９で加熱され、蒸気が生成される。そして、生成された蒸気はポンプ19によって配管17内を圧送され、可撓ホース３を介して洗浄銃11のノズル４から噴出される。
【００２３】
以上のように、本発明の流体洗浄機は、可撓ホース３と、可撓ホース３の先端に付設したノズル４と、高温水を生成する高温水生成装置１と、高温水生成装置１で生成された高温水を再加熱して蒸気を生成する蒸気生成装置２とを、備え、高温水と蒸気とを択一的に切り換えて可撓ホース３を介してノズル４から噴出させる切換手段５を有するので、高温水と蒸気とを簡単にかつ迅速に切り換えて噴射することができる。
このことにより、例えば、自動車の車体と電子部品の多いエンジンルームとを洗浄する場合等、高温水と蒸気とを使い分けしなければならない場合は、従来のように高温水用と蒸気用の２台の洗浄機を用意しなくても、（本発明の）１台の洗浄機にて高温水と蒸気とを瞬時に切り換えて洗浄することができ、洗浄作業能率（速度）が上がり、狭いスペースにも設置することができる。
また、高温水から蒸気へと切り換えて噴出する際に、高温水生成装置１で生成された高温水を蒸気生成装置２で再加熱して蒸気を生成するので、蒸気生成にかかる時間と燃料（コスト）とを大幅に削減することができる。
また、高温水で洗浄後、被洗浄物（機械・床面等）に蒸気を吹き付けることで、その被洗浄物を素早く乾燥させることができる。
【００２４】
また、高温水生成装置１はボイラー６から成り、かつ、蒸気生成装置２はボイラー６のケーシング７・バーナー８を共用して構成されているので、蒸気生成にかかる燃料（コスト）とを大幅に削減することができる。さらに、高温水生成装置１と蒸気生成装置２とが、ボイラー６を共用して構成されているので、流体洗浄機の構造が簡単となり、また、小型化することができる。
【００２５】
また、蒸気生成装置２は電気抵抗式又は電磁誘導式の加熱部９を有しているので、ボイラー６で生成された高温水を、再度ボイラー６及び加熱部９で加熱して高温の過熱蒸気を迅速にかつ高効率に生成することができる。また、電気抵抗式又は電磁誘導式の加熱部９を使用するので、排ガスの発生を軽減・抑制して、環境にも好ましい。
【図面の簡単な説明】
【００２６】
【図１】本発明の第１の実施の形態を示す全体構成説明図である。
【図２】本発明の第２の実施の形態を示す全体構成説明図である。
【図３】流路切換手段の他の実施の形態を示す要部構成説明図である。
【符号の説明】
【００２７】
１  高温水生成装置
２  蒸気生成装置
３  可撓ホース
４  ノズル
５  切換手段
６  ボイラー
７  ケーシング
８  バーナー
９  加熱部
【図１】
2007044603.tif 000003
【図２】
2007044603.tif 000004
【図３】
2007044603.tif 000005